(57)【特許請求の範囲】
【請求項１】
長手方向に成形され、上部に嵌合凹部を備え、かつ、両側壁からそれぞれ内側に突出する断面コ字型凹部が連設されている桟部材と、
前記桟部材の嵌合凹部の下部で、両側部の側面に設けられた断面ほぼ円形の凹部からなる連結溝と、
前記連結溝に遊嵌する膨出部を両端部に備え、前記桟部材を互いに連結することができる連結部材と、
前記桟部材の嵌合凹部に嵌合され、マットが植毛されているマット部材と、
前記桟部材の嵌合凹部および前記断面コ字型凹部の内部に嵌合され、前記嵌合凹部および前記断面コ字型凹部の両側壁の上部端部まで覆うように形成されているとともに、前記桟部材に設けられた断面コ字型凹部内をスライドできる構造からなる点字部材とからなり、
前記桟部材の一部には、前記点字部材と前記マット部材を交互に嵌合させ、
前記点字部材が点字を構成するとともに、折り畳みあるいは巻き込み可能であることを特徴とする盲人用標識を備えたスノコ状床マット。
【発明の詳細な説明】
【技術分野】
【０００１】
本発明は、建物内あるいは公共の場所である道路、駅等において、盲人を誘導する盲人用標識に関するものである。また、本発明は、折り畳み、あるいは、丸めることができ搬送に便利であるだけでなく、施工が安価で容易である盲人用標識に関するものである。さらに、本発明は、簀の子状足拭きマットの桟部材とともに使用することで、なお一層効果を発揮するものである。
【背景技術】
【０００２】
従来の盲人用標識には、たとえば、特開平８−２１５２３５号公報、特開２００１−３４８８２６号公報、あるいは、特開２００３−２４７２１４号公報に示されているように、床面に敷かれたタイルやカーペットに点字用鋲を取り付けたものがある。
【０００３】
また、従来の盲人用標識には、たとえば、特開平８−３３８００９号公報、あるいは、特開平９−２７９５２９号公報に示されているように、点字が成形されているブロックを建物の床や道路等に接着剤で取り付けたものがある。
【０００４】
【特許文献１】特開平８−２１５２３５号公報
【特許文献２】特開２００１−３４８８２６号公報
【特許文献３】特開２００３−２４７２１４号公報
【特許文献４】特開平８−３３８００９号公報
【特許文献５】特開平９−２７９５２９号公報
【発明の開示】
【発明が解決しようとする課題】
【０００５】
前記特許文献１から特許文献３に記載された盲人用標識は、特別の鋲を製造する必要があるだけでなく、前記鋲を点字として打ち込むための手間、および施工に手間がかかるという点で問題があった。
【０００６】
また、特許文献４および特許文献５に記載された盲人用標識は、ブロックとして製造できるという利点を有するが、施工の際に、コンクリートとブロックとの接着等を行う必要があり、接着剤の乾燥等施工に時間がかかるという問題を有していた。合成樹脂製やコンクリート製の点字ブロックは、絨毯が敷かれている病院や建物等の床上に設置された場合、周りの絨毯に合わなく、違和感が生じるという問題があった。
【０００７】
以上のような課題を解決するために、本発明は、組立および施工が容易であるとともに、建物等の床上、あるいは建物の入口等に敷かれた絨毯やマットに合わせることが容易な盲人用標識を提供することを目的とする。
【課題を解決するための手段】
【０００８】
（第１発明）
第１発明の盲人用標識を備えたスノコ状床マットは、長手方向に成形され、上部に嵌合凹部を備え、かつ、両側壁からそれぞれ内側に突出する断面コ字型凹部が連設されている桟部材と、前記桟部材の嵌合凹部の下部で、両側部の側面に設けられた断面ほぼ円形の凹部からなる連結溝と、前記連結溝に遊嵌する膨出部を両端部に備え、前記桟部材を互いに連結することができる連結部材と、前記桟部材の嵌合凹部に嵌合され、マットが植毛されているマット部材と、前記桟部材の嵌合凹部および前記断面コ字型凹部の内部に嵌合され、前記嵌合凹部および前記断面コ字型凹部の両側壁の上部端部まで覆うように形成されているとともに、前記桟部材に設けられた断面コ字型凹部内をスライドできる構造からなる複数種類の点字部材と、前記点字部材を下部から固定するためにビスを挿入することができる、桟部材の側壁または底部に設けられた水抜き口とからなり、前記点字部材が点字を構成するとともに、折り畳みあるいは巻き込み可能であることを特徴とする。
【０００９】
（第２発明）
第２発明の盲人用標識を備えたスノコ状床マットにおいて、前記点字部材は、前記桟部材の嵌合凹部の内部に嵌合され、前記嵌合凹部の両側壁の上部端部まで覆うように形成されているとともに、前記桟部材に設けられた断面コ字型凹部内をスライドできる構造からなることを特徴とする。
【発明の効果】
【００２０】
本発明によれば、点字部材および／またはマット部材が一つのユニットとして盲人用標識を作製することができるため、安価であると同時に、盲人用標識が絨毯やマットの中に敷かれていても違和感がない優れたデザインとすることができる。
【００２１】
本発明によれば、前記ユニット化された部材を連設するだけで、盲人用標識が構成されるため、量産性に優れており、安価にすることができるとともに、施工が簡単かつ迅速にできる。
【００２２】
本発明の盲人用標識によれば、桟部材と桟部材との間を可動自在な構造としているため、折り畳み、あるいは、巻き込むことができ、搬送が容易であると同時に、施工が簡単かつ迅速にできる。
【００２３】
本発明によれば、桟部材の嵌合凹部に点字部材および／またはマット部材をスライド嵌合させるだけで、盲人用標識が容易にできる。
【発明を実施するための最良の形態】
【００２４】
（第１発明）
第１発明の盲人用標識において、桟部材は、一定の長さからなり、その上部に嵌合凹部が連続して設けられている。点字部材は、たとえば、直線状からなり、前記桟部材の嵌合凹部に嵌合されている。前記点字部材が前記嵌合凹部に嵌合された前記桟部材は、複数個が組み合わされて、「進め」を意味する点字を構成している。
【００２５】
本発明の盲人用標識を備えたスノコ状床マットは、桟部材の嵌合凹部に点字部材およびマット部材とが嵌合されている点である。すなわち、前記桟部材には、たとえば、点字部材とマット部材とが交互に嵌合されている。前記点字部材とマット部材とが嵌合された桟部材は、複数個が組み合わされて、「止まれ」または「注意」を意味する点字を構成している。あるいは、前記桟部材は、点字の領域とマットの領域とから構成される。また、前記点字部材は、丸型、角形、あるいは長方形のものから構成されている。特に、丸型および長方形の点字部材は、前記桟部材の嵌合凹部の内部に嵌合され、前記嵌合凹部の両側壁の上部端部まで覆うように形成されているとともに、前記桟部材に設けられた断面コ字型凹部内をスライドできる構造からなる。前記点字部材は、前記桟部材の嵌合凹部および断面コ字型凹部の内部に嵌合され、前記断面コ字型凹部の両側壁の上部端部まで覆うように形成されている。また、前記桟部材に設けられた点字部材は、断面コ字型凹部内をスライドできる構造から構成されている。
【００２６】
本発明の盲人用標識を備えたスノコ状床マットは、嵌合凹部に嵌合された点字部材またはマット部材は、接着剤あるいは桟部材の下部から装着されたネジ等により固定される。
【００２７】
公共用の建物等は、絨毯が敷きつめられているにもかかわらず、たとえば、コンクリートブロック、あるいは、合成樹脂製ブロック等からなる盲人用標識が設けられている場合が多い。
【００２８】
本発明の盲人用標識を備えたスノコ状床マットは、点字部材および／またはマット部材が前記嵌合凹部に嵌合された複数個の桟部材を組み合わせた点字と前記マットから構成されているため、公共用の建物等の内部においても、建物外の点字ブロックと同じ感覚で歩行することができる。
【００２９】
前記点字部材とマット部材が交互に嵌合された桟部材は、複数個が並べられると、「注意」または「停止」を意味する盲人用標識になる。また、前記点字部材が嵌合された桟部材は、複数個が並べられると、「進め」を意味する盲人用標識になる。さらに、前記マット部材が嵌合された桟部材は、点字と点字でない領域を区別させることができる。
【００３０】
本発明の盲人用標識を備えたスノコ状床マットにおいて、嵌合凹部は、左右側壁からそれぞれの内側に突出するコ字型凹部が連設されている。前記左右側壁からそれぞれの内側に突出するコ字型凹部は、前記点字またはマットをスライドする方向に押し込むことで、接着剤を少なくしたり、あるいはネジ止めが不要になる。また、点字部材の側部は、前記コ字型凹部にスライド嵌合できるような形状に成形される。
【００３１】
本発明の盲人用標識を備えたスノコ状床マットにおいて、点字部材は、前記嵌合凹部に直線部材または略四角形からなる部材が嵌合されることにより構成されている。前記直線部材からなる点字部材が嵌合された桟部材は、複数個を連設することにより、「進め」を意味する点字を構成する。また、略四角形からなる部材とマット部材が交互に嵌合された桟部材は、略四角形からなる部材が連続する方向に複数個を連設することで、「進め」を意味する点字を構成する。
【００３２】
本発明の盲人用標識を備えたスノコ状床マットにおいて、点字部材は、前記桟部材に設けられた嵌合凹部に略円形部材または略四角形からなる部材とマット部材が互に配置されている。前記略円形部材または四角形からなる部材とマット部材が互に配置さた点字部材は、複数個連設することにより、「止まれ」または「注意」を意味する点字を構成する。
【００３３】
本発明の盲人用標識を備えたスノコ状床マットにおいて、直線形部材、略円形部材、または四角形から構成される点字部材は、前記桟部材の側壁と同じ端部まで覆っている。前記マット部材は、前記桟部材の側壁上部が露出するように嵌合されている。前記点字部材およびマット部材は、組み合わされて使用した場合、盲人が点字として理解できるような構成からなっている。
【００３４】
本発明の盲人用標識を備えたスノコ状床マットにおいて、点字部材とマット部材を交互に配置した桟部材は、横方向に連続して配置される。前記配置は、点字部材が縦方向に連続するような配置となり、「進め」を意味する点字となる。
【００３５】
本発明の盲人用標識を備えたスノコ状床マットにおいて、上部に嵌合凹部を備えた桟部材の左右の側壁には、前記桟部材どうしを連結するための狭い切欠部を備えた断面略円形孔が成形されている。前記断面略円形孔は、隣合った桟部材を連結する連結部材を挿入するためのものである。
【００３６】
本発明の盲人用標識を備えたスノコ状床マットにおいて、前記上部に嵌合凹部を備えた桟部材どうしは、板状の連結部材によって可動自在に連結される。前記板状の連結部材は、一部のみで連結されるようにすることができる。前記連結部材の両端には、前記桟部材の断面略円形孔に嵌合する円柱部材が成形されている。前記連結部材に成形されている円柱部材は、桟部材の断面略円形孔に嵌合され、前記断面略円形孔内において、自在に回転することによって、前記桟部材どうしが可動自在に連結される。
【００３７】
本発明の盲人用標識を備えたスノコ状床マットにおいて、前記桟部材には、嵌合凹部の底面および／または側面に水抜き口が形成されている。前記水抜き口は、マット部材の水分、や点字部材を伝わって来る水分等を排除できるようになっている。
【００３８】
本発明の盲人用標識を備えたスノコ状床マットにおいて、前記桟部材および／または直線用点字部材は、たとえば、アルミニウム材、あるいは、合成樹脂材等を押し出し成形品として得ることができる。前記押し出し成形品は、作製が簡単であるため、安価な盲人用標識を得ることができる。
【実施例１】
【００３９】
図１は本発明の第１実施例で、盲人用標識およびマット部材を説明するための斜視図である。図１において、盲人用標識１１は、たとえば、押し出し加工されたアルミニウム材または合成樹脂材からなる桟部材１２と、前記桟部材１２の頂部に形成された溝１３１を有する点字部材１３、または毛等が植設されたマット部材１４と、前記桟部材１２どうしを連結する連結部材１５とから構成されている。
【００４０】
また、図１において、盲人用標識１１は、点字で「進め」を意味する直線部分からなる点字部材１３が前記桟部材１２に嵌合された点字部と、前記と異なる桟部材１２にマット部材１４が嵌合されたマット部とからなる二つのユニットが模式的に例示されている。
【００４１】
なお、第１実施例における前記盲人用標識１１は、点字部材１３とマット部材１４を複数個組み合わせることにより、盲人が感知し易い点字となる。しかし、第１実施例において、桟部材１２にマット部材１４のみを取り付けたものだけを設置した場合、足拭きマットあるいは敷物として使用することができる。  
【００４２】
前記桟部材１２は、上部に前記点字部材１３またはマット部材１４を嵌めることができる嵌合凹部１２１と、前記嵌合凹部１２１の両側に成形され、互いに内側方向を向くように成形された断面コ字状凹部１２２と、両側壁１２４に成形された断面略円形孔１２３と、前記断面略円形孔１２３の一端に成形された切欠部１２５と、前記断面略円形孔１２３の間にある軽量化および材料の節減のための空洞１２６とから少なくとも構成されている。
【００４３】
前記桟部材１２は、点字部材１３を前記嵌合凹部１２１に取り付けた場合、側壁１２４における側壁上部１２７が隠れ、マット部材１４を前記嵌合凹部１２１に取り付けた場合、前記側壁１２４における側壁上部１２７が露出する。前記構造は、少なくとも一方の側壁上部１２７を露出させることにより、盲人が盲人用標識１１を踏んだ際に前記点字部材１３とマット部材１４との識別を容易にしている。
【００４４】
前記桟部材１２は、所望の長さで押し出し成形され、点字部材１３および／またはマット部材１４が取り付けられた後、その端部に係止片１２９が取り付けられ、空洞１２６等の側端部を閉塞する。また、前記係止片１２９の前記桟部材１２に対する取り付けは、止めネジ１３０を前記断面略円形孔１２３にネジ込み、セルフタッピングにより行われる。
【００４５】
前記桟部材１２の形状は、盲人用標識１１の使用場所や当該場所の状況によって高さ、幅、および長さ等を異なるようにすることができる。また、前記桟部材１２は、前記高さ、幅、および長さが異なるようにした場合、強度をもたせるために、嵌合凹部１２１、空洞１２６等に突条を設けたり、底部にクッション材を設ける溝を成形する等の変形が必要である。
【００４６】
図２は本発明の第１実施例で、点字部材が取り付けられた桟部材と、マット部材が取り付けられた桟部材とを連結する連結部材を説明するための一部断面図である。図１および図２において、連結部材１５は、円柱状部材１５１と、前記円柱状部材１５１どうしを連結する連結板１５２とから少なくとも構成されている。また、連結板１５２は、必要に応じて、開口部１５３を設け、材料の節約、軽量化、柔軟性を計っている。
【００４７】
前記連結部材１５における円柱状部材１５１の一方は、桟部材１２の断面略円形孔１２３からスライドさせるように押し込まれ、他方の円柱状部材１５１は、他の桟部材１２の断面略円形孔１２３にスライドさせるように押し込まれることにより連結される。前記連結部材１５によって連結された桟部材１２どうしは、円柱部材１５１が押し込まれた断面略円形孔１２３内において回動が自在にできる。
【００４８】
すなわち、前記桟部材１２を前記連結部材１５によって、必要な点字が構成されるように連結した盲人用標識１１は、円形部材１５１と断面略円形孔１２３によって、自在に回動できるため、折り畳んだり、あるいは、折り曲げて丸めることができ、搬送の際に便利である。
【実施例２】
【００４９】
図３（イ）ないし（ニ）は本発明の第２実施例の桟部材と前記桟部材に嵌合させる点字部材を説明するための図である。図３（イ）において、盲人用標識３１は、「止まれ」または「注意」を意味する点字となる略円形突起３３とマット部材３４が交互に設けられて一つのユニットを構成している。
【００５０】
また。図３（ハ）において、前記略円形突起３３は、下部に空間部３３１とネジ孔３３２が形成されており、桟部材１２に設けられた嵌合凹部１２１にネジ３５によって取り付けられる。さらに、前記略円筒突起３３は、前記桟部材１２の側壁上部１２７を覆うような状態にある。
【００５１】
図３（ロ）において、盲人用標識３２は、「止まれ」または「注意」を意味する点字となる四角形突起３６とマット部材３４が交互に設けられて一つのユニットを構成している。また、図３（ニ）において、前記四角形突起３６は、下部に少なくとも一つの空間部３６１と嵌合突起部３６２が成形されている。
【００５２】
前記四角形突起３６に設けられた嵌合突起部３６２は、前記桟部材１２の上部に成形されているコ字状凹部１２２に互いにスライド嵌合される。また、前記四角形突起３６は、図３（ハ）に示すようにネジ止めすることもできるが、接着剤３６３を用いて固定することもできる。
【００５３】
前記略円形突起３３または四角形突起３６は、マット部材３４と交互に配置されることによって、「止まれ」または「注意」を意味する一つのユニットを構成する。また、図３（ロ）に示すユニットは、図の左右方向に連設されると、「進め」を意味する点字になっている。
【００５４】
図４は本発明の盲人用標識を使用した具体例を説明するための図である。図１ないし図４において、ユニット４１は、桟部材１２にマット部材３４を取り付けた絨毯部またはマット部である。ユニット４２は、桟部材１２に「進め」を意味する点字部材１３が取り付けられている。ユニット４３は、一部に円形突起３３とマット部材３４とが交互に配置されている領域と、マット部材３４だけの領域とが混在している。
【００５５】
ユニット４４は、桟部材１２にマット部材３４が取り付けられた領域と、「進め」を意味する点字部材１３が取り付けられた領域とから構成されている。また、ユニット４５は、マット部材３４が取り付けられた領域と、四角形突起３６とマット部材３４が交互に取り付けられた領域とから構成されている。
【００５６】
前記ユニット４１からユニット４５までの桟部材１２は、マット部材１４の毛を絨毯、あるいはマットと同じようにすることで、「進め」および「止まれ」または「注意」を意味する点字が絨毯、あるいはマットの中であっても、違和感なく配置させることができる。
【産業上の利用可能性】
【００５７】
以上、本実施例を詳述したが、本発明は、前記本実施例に限定されるものではなく、特許請求の範囲に記載されている事項を逸脱することがなければ、種々の設計変更を行うことが可能である。たとえば、本発明は、押し出し加工ができるものであれば、桟部材等の材質を限定するものではない。また、本発明は、目的を逸脱することがなければ、マット部材および点字部材の材質、あるいは、形状を限定するものではない。
【００５８】
また、本発明の桟部材は、特許請求の範囲に記載された事項を逸脱しない限り、形状および寸法を任意に変更することができる。本発明の桟部材の組み合わせは、場所や条件によって任意に変更ができる。また、点字部材と桟部材との固着は、周知または公知の手段を用いることができる。
【００５９】
さらに、本発明の桟部材は、屋外に設置する場合、側壁または底部に開口を設け、水抜き口を設けることができる。
【図面の簡単な説明】
【００６０】
【図１】本発明の第１実施例で、盲人用標識およびマット部材を説明するための斜視図である。
【図２】本発明の第１実施例で、点字部材が取り付けられた桟部材と、マット部材が取り付けられた桟部材とを連結する連結部材を説明するための一部断面図である。
【図３】（イ）ないし（ニ）は本発明の第２実施例の桟部材と前記桟部材に嵌合させる点字部材を説明するための図である。
【図４】本発明の盲人用標識を使用した具体例を説明するための図である。
【符号の説明】
【００６１】
１１・・・盲人用標識
１２・・・桟部材
１２１・・・嵌合凹部
１２２・・・コ字状凹部
１２３・・・断面略円形孔
１２４・・・側壁
１２５・・・切欠部
１２６・・・空洞
１２７・・・側壁上部
１２９・・・係止片
１３０・・・止めネジ
１３・・・点字部材
１３１・・・溝
１４・・・マット部材
１５・・・連結部材
１５１・・・円柱状部材
１５２・・・連結板
１５３・・・開口部
３１・・・盲人用標識
３２・・・盲人用標識
３３・・・略円形突起
３３１・・・空間部
３３２・・・ネジ孔
３４・・・マット部材
３６・・・四角形突起
３６１・・・空間部
３６２・・・突起部
３６３・・・接着剤
【図１】
0004759224.tif 000002
【図２】
0004759224.tif 000003
【図３】
0004759224.tif 000004
【図４】
0004759224.tif 000005